(57)【要約】      （修正有）【課題】熱効率を向上させて燃料消費量の削減し、ＣＯ２など排ガス排出量を低減させる廉価な調理器を提供する。【解決手段】熱量保持万能ケース１は、熱効率を向上させる為に、調理器上面において熱源．調理容器底周辺を包み込む形状である。ケース全体径を調節式、さらに上下可逆構造にすることにより、一種類の該熱量保持万能ケースにて、調理容器の品種、形状、大きさ等多様な加熱環境に対応させることが可能となり、導入コストを低減させる。【選択図】図１
0003143387.tif 000002
【実用新案登録請求の範囲】
【請求項１】
ガス．電気コンロ等の加熱調理器において、前記調理器に掛ける鍋等の調理容器の底部及び熱源の周辺を包み込む、帯状の薄い金属板で形成する円錐形状の断面円径を可変にして、固定する手段を前記帯状の金属板両端部に設けてなる熱量保持万能ケース。
【考案の詳細な説明】
【技術分野】
【０００１】本考案は、調理器にて過熱する際の熱効率を向上させる為のケースに関するものである。
【背景技術】
【０００２】従来コンロ等の調理器にて調理．加熱の際、熱源と鍋等の調理容器との空間部から、外方及び上方向へ熱量が放散し、熱効率が低下する問題があった。【０００３】又、従来の発明．考案において、熱効率を向上させる目的のものは存在していたが、調理器及び調理容器の品種．形状．大きさ等の多様な加熱環境に対して唯一種の部材にて適応出来うる発明．考案が存在しなかった。
【考案の開示】
【考案が解決しようとする課題】
【０００４】このような従来技術の問題点を解決すべく、熱量の放散量を減少させ、熱効率を向上させることによって、熱源熱量の低減、あるいは加熱時間の短縮による、燃料消費量の削減、及びＣＯ２等排ガス排出量を低減させること。【０００５】さらに、調理器上面及び五徳．調理容器の品種．形状．大きさ等多様な加熱環境に対して、本考案ケース唯一種にて適応すること。
【課題を解決するための手段】
【０００６】本考案は熱効率を向上させるために、調理器の熱源と調理容器との空間部を包み込むケースを設置することによる。【０００７】又、本考案ケース唯一種にて、調理容器の品種．形状．大きさ等多様な加熱環境に対応させるため、ズボンのベルトの如く調節式としたり、正円錐形状に載置したケースを上下逆さにして逆円錐形状に載置する等、円径や設置方向を調理容器に適応させる事によって解決するものである。
【考案の効果】
【０００８】調理器の熱源と調理容器との空間から放散しようとする熱量が、本考案ケースにより調理容器底近辺に留まり、ケース内の熱量が増加し、熱効率が向上することになる。よって、本考案ケース使用前と後で、同一の仕事量を得る場合、熱源熱量を低減させることが可能になる。あるいは、本考案ケース使用前後で熱源熱量を同一にした場合は、加熱時間が短縮できる。つまり、燃料消費量の削減及び排ガス排出量の低減に繋がる。【０００９】既存の発明及び考案においては、調理器上面．五徳．調理容器（鍋．やかん．フライパン等）の品種．形状．大きさ等、多様な加熱環境の変化に適応させる為、多数の仕様を必要としたが、本考案ケースの場合全体寸法を調節式かつ設置方向を可逆可能の形状にすることによって、唯一種にて適応出来得ることが可能になった。
【考案を実施するための最良の形態】
【００１０】図１〜図３において１は考案ケースであり、調理器２上に載置し、調理器熱源４と調理容器５の空間部６を包む位置関係による構成である。本考案ケース１は、上端で調理容器５の底部近辺周囲を包み、下端は調理器２上に載置．接触し、熱源４．五徳３を包み込む帯状の薄い金属板で正円錐形状に形成されている。【００１１】本考案ケース１を調理器２上に載置し、調理器５を五徳３に載せ、耐熱性の左右のつまみ１３にて支持することにより、調節先端１４を調節受け金１５に挿入．スライドさせ、調理容器５の底部近辺周囲を包み込む任意の位置にて調節穴１１に調節突起１２を挿入し、固定して本考案ケース１の円径が決まり、位置構成が確定される。いわゆるズボンのベルト方式である。【００１２】本考案ケース１の材質は、全般的にステンレス．鉄．銅．アルミニウム等の金属材をもって形成する。又、形状は上記において円筒の円錐形状であるが、熱効率を向上させるべく調理器の熱源と調理容器の空間部を包み込むことが出来、上下可逆にすることが可能であれば、角錐．円柱．角柱等の種々の変形例とすることが出来る。
【実施例１】
【００１３】図１〜図３において、標準的大きさの五徳３に対して、調理容器５の普通鍋を掛ける場合、本考案ケース１を載置し、鍋５を掛け、つまみ１３を支持して、調節先端１４を調節受け金１５に挿入、鍋底を包み込む任意の位置の調節穴１１にて固定し、過熱した例である。【００１４】図４において、小径の調理容器５ａ、やかん．鍋の場合、その径に合わせて本考案ケース１の全体径を縮めて固定し、加熱した例である。【００１５】図５のように、調理容器５ｂのフライパン等大径の場合、その径に適応させるべく本考案ケース１を上下逆の逆円錐形状にし、五徳３．フライパン５ｂを包み込むように円径を延ばして固定し、調理器２上に載置し、実施した例である。【００１６】図６のように、電気調理器２ａで熱源４ａに調理容器５を直接載せた場合の本考案ケース１の実施例である。【００１７】加熱作業の際、万が一の火傷の可能性も考慮し、図７において火傷防止カバー１６を本考案ケース１に装着した実施例である。この場合つまみ１３は耐熱性のプラスチック．セラミック等、火傷防止カバー１６は空調管接続部等に使用される耐熱シートパッキン等を使用する。このカバー１６はつまみ１３につまみ穴１７を引っ掛け、図８のように複数のカバー取付けフック１８（本実施例においては、本考案ケース１の上端および下端の各々円周方向に４個づつ８個）にフック穴１９を各々引っ掛け、本考案ケース１を包むように装着して、上記各実施例のように、実施するものである。
【産業上の利用可能性】
【００１８】本考案ケースにより熱効率を向上させることによって、熱源熱量の減少．加熱時間を短縮させ、燃料消費量の削減．ＣＯ２等排ガス排出量を低減させることによって、調理コストの削減及び健康負荷への低減が期待できる。【００１９】又、多様な加熱環境に対し、本考案ケース唯一種にて適応でき得る点と、調理器上に載置するのみの為、調理容器の変更及びケースの洗浄等の使用方法が容易となり、作業能率の向上と導入コストの削減も期待できる。【００２０】さらに、本考案ケースは調理器内に組み込む五徳などの一部品に限らないので、導入対象ユーザーを調理器メーカーのみに限定されないばかりか、本考案ケースのみを現在使用中の調理器に載置するだけなので、多数の一般ユーザーに廉価にて提供できる。【００２１】必然的に大規模に燃料消費量の削減．ＣＯ２など排ガス排出量の低減を望める。【００２２】一般大衆の地球環境保護と、その意識向上に繋がる。
【図面の簡単な説明】
【００２３】
【図１】本考案ケースの使用状態を示す実施例１の縦断面図である。
【図２】同斜視図である。
【図３】同調節部の内側拡大斜視図である。
【図４】同実施例２の縦断面図である。
【図５】同実施例３の縦断面図である。
【図６】同実施例４の縦断面図である。
【図７】同実施例５の斜視図である。
【図８】同実施例５の縦断面図である。
【符号の説明】
【００２４】１  調理器の熱量保持万能ケース
２．２ａ  調理器
３  五徳
４．４ａ  熱源
５．５ａ．５ｂ  調理容器
６  空間部
１１  調節穴
１２  調節突起
１３  つまみ
１４  調節先端
１５  調節受け金
１６  火傷防止カバー
１７  つまみ穴
１８  カバー取付けフック
１９  フック穴
【図１】
0003143387.tif 000003
【図２】
0003143387.tif 000004
【図３】
0003143387.tif 000005
【図４】
0003143387.tif 000006
【図５】
0003143387.tif 000007
【図６】
0003143387.tif 000008
【図７】
0003143387.tif 000009
【図８】
0003143387.tif 000010